(57)【要約】      （修正有）【課題】高価な装置を用いることなく製造可能であり、周囲のいろいろな角度からガラスを通じて内部の装飾体を見ることが可能であり、装飾体が水に浸かることのない密閉性を持つ置物を提供する。【解決手段】底部１の上面に避水装飾体を接置し、底部とガラス製の外周体３とによって避水装飾体を備えた内部の空間を密閉することで、防水効果を実現する。ガラス製の外周体なので、周囲のいろいろな角度から避水装飾体を見ることができる。また、底部と外周体とを高価な装置を用いずに一成分形弾性シーリング材によって接着して置物を生産する。【選択図】図１
0003166201.tif 000002
【実用新案登録請求の範囲】
【請求項１】
底面が略平面状であり、上面に避水装飾体を接置した底部と、
前記底部の上面側に設けられ前記避水装飾体を覆うガラス製の外周体とを備え、
前記底部と前記外周体とが内部の空間を密閉していることを特徴とする、
置物。
【請求項２】
前記避水装飾体が染料を含有したドライフラワー、プリザーブドフラワー又は造花であることを特徴とする、
請求項１に記載の置物。
【請求項３】
前記底部と前記外周体とを合わせて、前記底面を底面とする錐体の形状であることを特徴とする、
請求項１又は２に記載の置物。
【請求項４】
前記底部がガラス製であり、前記底部と前記外周体との接触部分が透明であることを特徴とする、
請求項１〜３のいずれか１項に記載の置物。
【請求項５】
前記底部と前記外周体とが一成分形弾性シーリング材によって接着されたことを特徴とする、請求項１〜４のいずれか１項に記載の置物。
【考案の詳細な説明】
【技術分野】
【０００１】
本考案は、装飾用の置物に関するものである。
【背景技術】
【０００２】
ガラス等の透明の外周を通じて内部の装飾体が見える置物は、人気があり、広く用いられている。このような置物が、トイレ、洗面所、浴室などの水に浸かりやすい場所に飾られることもある。さらに、金魚鉢などの水槽や池に浮かべたり沈めたりして鑑賞することもある。
内部の装飾体は、水に浸かると形が崩れたり、品質が劣化したりするものである場合も多い。ドライフラワーやプリザーブドフラワーは、水に浸かると短期間で劣化する。また、発色のための染料を用いていることも多く、染料が流れ落ちてしまう。造花は、その多くに染料が用いられており、水に浸かると染料が流れ落ちてしまう。生花の場合にも不必要に水に浸かることは好ましくない。折り鶴などの紙製の装飾体は、水に浸かると形が崩れてしまう。また、鉄製又は銅製の装飾物は、水に浸かると錆びやすくなる。
【０００３】
上記の問題は、置物の外周部を密閉することによって解決する。置物ではないが、特許文献１には、奥行きを持った額縁用容器にドライフラワーを入れ、その表面をガラス板で覆って密閉する方法が開示されている。
しかし、特許文献１に記載された方法は、ガラス板の周辺に使用されるアルミテープが見えないようにするために額縁の周縁部を利用している。このため、一方向からのみ見る額縁には適しているが、周囲のいろいろな方向から見る置物には適用できない。
【０００４】
置物であっても、装飾体を内部に入れた状態で外周のガラスを融着すれば、密閉することが可能である。特許文献２には、装飾体が外周のガラスよりも融点が高いガラスであるようにして、外周のガラスを融着する方法が開示されている。しかし、このような方法で融着するためには、装飾体が限定されてしまい、高価な装置を必要としてしまう。
【先行技術文献】
【特許文献】
【０００５】
【特許文献１】特開２０１０−０５９０８６号公報
【特許文献２】特開２０００−１４０４５２号公報
【非特許文献】
【０００６】
【非特許文献１】「一成分型弾性シーリング材」http://www.cemedine.co.jp/product/industry/ceiling.html
【考案の概要】
【考案が解決しようとする課題】
【０００７】
解決しようとする問題点は、高価な装置を用いることなく製造可能であり、周囲のいろいろな角度からガラスを通じて内部の装飾体を見ることが可能であり、内部の装飾体として少なくともドライフラワーを用いることが可能であり、装飾体が水に浸かることのない密閉性を持つ置物を提供することである。
【課題を解決するための手段】
【０００８】
本考案の置物は、
底面が略平面状であり、上面に避水装飾体を接置した底部と、
前記底部の上面側に設けられ前記避水装飾体を覆うガラス製の外周体とを備え、
前記底部と前記外周体とが内部の空間を密閉していることを特徴とする。
水に浸かると形が崩れる又は品質が劣化するような物体（避水装飾体）を、底部と外周部とによって密閉した空間に配置する。これにより、避水装飾体が水に浸かることを防止する。
ここで、「避水装飾体」とは、水に浸かると形が崩れる又は品質が劣化するような物体を言い、染料を用いているもの、紙製のものなどが考えられる。「造花」のように物品によって被水装飾体であるか否かが決まるものではなく、染料を用いているか否かのようにその物体の特質によって避水装飾体であるか否かが決まることが多い。少なくとも、ドライフラワー、プリザーブドフラワー、染料を用いた造花、発色のための染料を含む生花及び折り鶴を含む紙製の工作品、錆びることのある鉄製又は銅製の装飾物は被水装飾体である。
また、「密閉」とは、液体としての水が流入・流出しない程度に内外を分離した状態を言う。空気の流入・流出を止めるまでの精密な密閉を必要とするものではない。
【０００９】
本考案の置物は、
前記避水装飾体が染料を含有したドライフラワー、プリザーブドフラワー又は造花であることを特徴とする。
花の置物は多くの人々に好まれている。また、美しく見える角度が１つに特定されず、いろいろな角度から見ることがあるという点において、本考案の置物に適している。
【００１０】
本考案の置物は、
前記底部と前記外周体とを合わせて、前記底面を底面とする錐体の形状であることを特徴とする。
錐体の形状の特徴として、（１）底部と外周体が接する部分に余分な凹凸がなく、全体として整然とした印象を与える。この点が、特許文献１に記載された方法と本考案の方法との大きな相違点である。（２）下部に行くにしたがって太くなる形状であり、形状として安定感がある、という特徴がある。
【００１１】
本考案の置物は、
前記底部がガラス製であり、前記底部と前記外周体との接触部分が透明であることを特徴とする。
底部を含め、周囲のいずれの方向から見ても外周が透明な置物である。
【００１２】
本考案の置物は、
前記底部と前記外周体とが一成分形弾性シーリング材によって接着されたことを特徴とする。
「一成分形弾性シーリング材」とは、例えば非特許文献１に示されるように、ガラスを接着する効果を持ち、透明でありえるシーリング材である。一成分形弾性シーリング材によって接着した部分は水を透過させず、また、透明でありえる。本考案においては、成分がシリコン混和物である一成分形弾性シーリング材が適している。
【考案の効果】
【００１３】
本考案の置物は、高価な装置を用いることなく製造可能であり、内部の装飾体として少なくともドライフラワーを用いることが可能であり、周囲のいろいろな角度からガラスを通じて内部の装飾体を見ることが可能であり、装飾体が水に浸かることのない密閉性を持つ。避水装飾体を内部に配した置物を、トイレ、洗面所、浴室などの水に浸かりやすい場所に飾ること、金魚鉢などの水槽や池に浮かべたり沈めたりして鑑賞することが可能になる。
【図面の簡単な説明】
【００１４】
【図１】図１は、本考案に係る置物の構成物品を示す図である。
【図２】図２は、本考案に係る置物の使用状態を示す図である。
【考案を実施するための形態】
【００１５】
本考案の実施例を示す。
【実施例１】
【００１６】
図１は、本考案に係る置物の構成物品を示す図である。底部１はガラス製であり、底面が平面状であり、上面にドライフラワー２を置くことができる。単に「置く」のでなく、接着等によって固定してもよい。外周体３はガラス製であり、底部１の上に配置されてドライフラワー２を置いた空間を密閉する。
【００１７】
図２は、本考案に係る置物の使用状態を示す図である。ガラス製の外周体３を通じてドライフラワー２を見ることができる。底部１とは外周体３とが接する接着部４は、一成分形弾性シーリング材によって接着されている。これにより、接着部４も透明となり、外周の全部が透明な置物を構成する。なお、一成分形弾性シーリング材による接着に当たっては、シリコンを成分とする一成分形弾性シーリング材を外周体３に均等に塗布し、ねじりながら押し付けて接着部４に隙間ができないようにすることが好ましい。
【産業上の利用可能性】
【００１８】
高価な装置を用いることなく製造可能であり、内部の装飾体として少なくともドライフラワーを用いることが可能であり、周囲のいろいろな角度からガラスを通じて内部の装飾体を見ることが可能であり、装飾体が水に浸かることのない密閉性を持つ置物であり、多くの置物生産者及び需要者による活用が考えられる。
【符号の説明】
【００１９】
１    底部
２    ドライフラワー
３    外周体
４    接着部
【図１】
0003166201.tif 000003
【図２】
0003166201.tif 000004